(57)【要約】      （修正有）【課題】質量分布を均一にし、リニア振動モータの振動安定性を向上させる。【解決手段】収容空間を有するベースと、前記収容空間に置かれる振動ユニット２と、前記振動ユニットを前記収容空間に懸架する弾性部材３と、前記ベースに固定される、前記振動ユニットが振動するように駆動するコイル４と、を備え、前記振動ユニットはカウンターウェイトブロック２１と、前記カウンターウェイトブロック内に嵌設される第一永久磁石２２及び第二永久磁石２３と、を備え、前記第二永久磁石が２つあり、それぞれ前記第一永久磁石の対向する両側に間隔を置いて設置され、前記コイルは互いに絶縁的に設置される第一コイル４１及び第二コイル４２を含み、前記第一コイルは前記第一永久磁石が第一方向に沿って振動するように駆動し、前記第二コイルは前記第二永久磁石が第二方向に沿って振動するように駆動して、前記第一方向が前記第二方向に垂直である。【選択図】図１
2019097374.tif 000002
【特許請求の範囲】
【請求項１】
収容空間を有するベースと、前記収容空間に置かれる振動ユニットと、前記振動ユニットを前記収容空間に懸架する弾性部材と、前記ベースに固定される、前記振動ユニットが振動するように駆動するコイルと、を備えるリニア振動モータであって、
前記振動ユニットはカウンターウェイトブロックと、前記カウンターウェイトブロック内に嵌設される第一永久磁石及び第二永久磁石と、を備え、前記第二永久磁石が２つあり、それぞれ前記第一永久磁石の対向する両側に間隔を置いて設置され、前記コイルは互いに絶縁的に設置される第一コイル及び第二コイルを含み、前記第一コイルは前記第一永久磁石が第一方向に沿って振動するように駆動し、前記第二コイルは前記第二永久磁石が第二方向に沿って振動するように駆動して、前記第一方向が前記第二方向に垂直であることを特徴とするリニア振動モータ。
【請求項２】
前記第一永久磁石の磁化方向が前記第二永久磁石の磁化方向に垂直であることを特徴とする請求項１に記載のリニア振動モータ。
【請求項３】
２つの前記第二永久磁石が前記第一永久磁石に関して対称に分布することを特徴とする請求項１又は２に記載のリニア振動モータ。
【請求項４】
前記ベースはハウジング及び前記ハウジングに蓋設されるカバープレートを備え、前記コイルが前記カバープレートに固定されることを特徴とする請求項３に記載のリニア振動モータ。
【請求項５】
前記リニア振動モータは更に前記カウンターウェイトブロックの前記カバープレートから離れる片側に固定される透磁プレートを備えることを特徴とする請求項４に記載のリニア振動モータ。
【請求項６】
前記リニア振動モータは更に前記カウンターウェイトブロックの前記第一方向に沿う両側に固定される第一緩衝ブロックを備えることを特徴とする請求項３に記載のリニア振動モータ。
【請求項７】
前記リニア振動モータは更に前記カウンターウェイトブロックの前記第二方向に沿う両側に固定される第二緩衝ブロックを備えることを特徴とする請求項６に記載のリニア振動モータ。
【発明の詳細な説明】
【技術分野】
【０００１】
本発明は、モータに関し、特にモバイル電子製品分野に適用されるリニア振動モータに関する。
【背景技術】
【０００２】
電子技術の発展に伴い、ポータブル消費者向け電子製品、例えば携帯電話、パームトップゲーム機、ナビゲーション装置又はパームトップマルチメディアエンターテイメントデバイス等はますます人気が高まっており、これらの電子製品は一般的にリニア振動モータを用いてシステムフィードバック、例えば携帯電話の着信番号表示、情報表示、ナビゲーション表示、ゲーム機の振動フィードバック等を行う。このように広く応用されるためには、振動モータの性能に優れ、耐用年数が長いことが要求される。
【０００３】
従来技術におけるリニア振動モータは、収容空間を有するベースと、前記収容空間に位置する振動ユニットと、前記振動ユニットを前記収容空間に固定・懸架する弾性部材と、前記ベースに固定されるコイルと、を備え、コイルにより生じた磁界が振動ユニットにより生じた磁界と相互作用することにより、前記振動ユニットが往復直線運動をすることで振動するように駆動する。
【０００４】
単一の振動ユニットの平面のＸ軸方向及びＹ軸方向での双方向振動を実現するために、従来技術におけるリニア振動モータにおいて、前記振動ユニットはカウンターウェイトブロックと、前記カウンターウェイトブロック内に嵌設されて間隔を置いて設置される第一永久磁石及び第二永久磁石と、を備え、前記第一永久磁石が前記カウンターウェイトブロックの幾何中心位置に位置し、前記コイルは前記第一永久磁石がＸ軸方向に沿って振動するように駆動する第一コイル及び前記第二永久磁石がＹ軸方向に沿って振動するように駆動する第二コイルを含む。
【０００５】
ところが、前記第一永久磁石がカウンターウェイトブロックの幾何中心位置に位置するが、前記第二永久磁石が前記カウンターウェイトブロックの一端に位置するため、該構造によって前記振動ユニットが非対称となって、質量分布が不均一となり、その振動過程において捩れが発生しやすく、それにより前記リニア振動モータの振動安定性に影響を与えてしまう。
【０００６】
このため、上記問題を解決するために、新しいリニア振動モータを提供する必要がある。
【発明の概要】
【発明が解決しようとする課題】
【０００７】
本発明の解決すべき技術的問題は双方向振動を実現して振動安定性に優れたリニア振動モータを提供することである。
【課題を解決するための手段】
【０００８】
上記技術的問題を解決するために、本発明はリニア振動モータを提供し、収容空間を有するベースと、前記収容空間に置かれる振動ユニットと、前記振動ユニットを前記収容空間に懸架する弾性部材と、前記ベースに固定される、前記振動ユニットが振動するように駆動するためのコイルと、を備え、前記振動ユニットはカウンターウェイトブロックと、前記カウンターウェイトブロック内に嵌設される第一永久磁石及び第二永久磁石と、を備え、前記第二永久磁石が２つあり、それぞれ前記第一永久磁石の対向する両側に間隔を置いて設置され、前記コイルは互いに絶縁的に設置される第一コイル及び第二コイルを含み、前記第一コイルは前記第一永久磁石が第一方向に沿って振動するように駆動し、前記第二コイルは前記第二永久磁石が第二方向に沿って振動するように駆動して、前記第一方向が前記第二方向に垂直である。
【０００９】
好ましくは、前記第一永久磁石の磁化方向が前記第二永久磁石の磁化方向に垂直である。
【００１０】
好ましくは、２つの前記第二永久磁石が前記第一永久磁石に関して対称に分布する。
【００１１】
好ましくは、前記ベースはハウジング及び前記ハウジングに蓋設されるカバープレートを備え、前記コイルが前記カバープレートに固定される。
【００１２】
好ましくは、前記リニア振動モータは更に前記カバープレートから離れる前記カウンターウェイトブロックの片側に固定される透磁プレートを備える。
【００１３】
好ましくは、前記リニア振動モータは更に前記第一方向に沿う前記カウンターウェイトブロックの両側に固定される第一緩衝ブロックを備える。
【００１４】
好ましくは、前記リニア振動モータは更に前記第二方向に沿う前記カウンターウェイトブロックの両側に固定される第二緩衝ブロックを備える。
【発明の効果】
【００１５】
従来技術に比べて、本発明のリニア振動モータにおいて、前記振動ユニットにおける第二方向の振動を実現する前記第二永久磁石を２つ設置して、それらがそれぞれ第一方向の振動を実現する前記第一永久磁石の対向する両側に位置し、それにより前記振動ユニットの構造を対称にして質量分布を均一にし、更にリニア振動モータの振動安定性を向上させる。
【図面の簡単な説明】
【００１６】
【図１】図１は本発明のリニア振動モータの立体構造分解図である。
【図２】図２は本発明のリニア振動モータの断面図である。
【発明を実施するための形態】
【００１７】
以下、図面及び実施形態を参照しながら本発明を更に説明する。
【００１８】
図１−２に示すように、本発明に係るリニア振動モータ１００であって、収容空間１０を有するベース１、振動ユニット２、弾性部材３、コイル４、透磁プレート５、第一緩衝ブロック６及び第二緩衝ブロック７を備える。
【００１９】
前記ベース１が収容空間１０を有する。具体的に、前記ベース１はハウジング１１及び前記ハウジング１１に蓋設固定されるカバープレート１２を備えて、それらが前記収容空間１０を取り囲む。当然ながら、前記ハウジング１１及び前記カバープレート１２が一体構造であってもよい。
【００２０】
前記振動ユニット２が前記弾性部材３で前記収容空間１０内に懸架される。
【００２１】
具体的に、前記振動ユニット２はカウンターウェイトブロック２１と、それぞれ前記カウンターウェイトブロック２１内に嵌設される第一永久磁石２２及び第二永久磁石２３と、を備える。
【００２２】
前記カウンターウェイトブロック２１は前記第一永久磁石２２及び前記第二永久磁石２３を固定することに用いられる一方、前記振動ユニット２の重量を増加させることで、その振動振幅を増大させ、前記リニア振動ユニット１００の振動効果を向上させることに用いられる。
【００２３】
前記第二永久磁石２３が２つあって、それぞれ前記第一永久磁石２２の対向する両側に間隔を置いて設置される。より好ましくは、２つの前記第二永久磁石２３が前記第一永久磁石２２に関して対称に分布し、それにより前記振動ユニット２の構造の対称及び質量分布の均一化を実現し、更に前記振動ユニット２が振動する時に安定性がより高く、捩れ現象が発生することがない。
【００２４】
前記弾性部材３は前記振動ユニット２を前記収容空間１０内に懸架することに用いられる。本実現形態において、前記弾性部材３は一端が前記カウンターウェイトブロック２１に固定され、他端が前記ベース１のハウジング１１に固定され、前記振動ユニットに支持及び振動回復力を提供する。
【００２５】
前記コイル４は前記ベース１に固定され、前記振動ユニット２が振動するように駆動させることに用いられる。本実施形態において、前記コイル４が具体的に前記カバープレート１２に固定される。
【００２６】
前記第一永久磁石２２及び前記第二永久磁石２３に対応するように、前記コイル４は互いに絶縁的に設置される第一コイル４１及び第二コイル４２を含む。
【００２７】
前記第一コイル４１は前記第一永久磁石２２が第一方向に沿って振動するように駆動し、前記第二コイル４２は前記第二永久磁石２３が第二方向に沿って振動するように駆動して、前記第一方向が前記第二方向に垂直である。それにより前記リニア振動モータ１００の「単振動体二重振動方向」の構造を実現する。本実施形態において、前記第一方向が具体的に水平Ｘ軸方向であり、前記第二方向が具体的に水平Ｙ軸方向である。
【００２８】
前記振動ユニット２が前記第一永久磁石２２及び前記第二永久磁石２３によってそれぞれ双方向振動構造を実現することは複数種あり、例えば磁性体構造による設置、コイル位置による設置等が挙げられる。本実施形態において、前記第一永久磁石２２の磁化方向及び前記第二永久磁石２３の磁化方向を垂直にする。対応する前記第一コイル４１に通電する時、前記第一コイル４１は前記第一永久磁石２２がＸ軸方向に沿って振動するように駆動し、対応する前記第二コイル４２に通電する時、前記第二コイル４２は前記第二永久磁石２３がＹ軸方向に沿って振動するように駆動する。
【００２９】
前記透磁プレート５が前記カバープレート１２から離れる前記カウンターウェイトブロック２１の片側に固定され、前記振動ユニット２の質量を増加させ、振動性能を向上させることができる一方、前記第一永久磁石２２及び前記第二永久磁石２３の磁力線をガイドし、磁力線の損失を低減し、磁界特性を向上させ、更に前記振動ユニット２の振動強度を向上させることもできる。
【００３０】
前記第一緩衝ブロック６が前記第一方向（Ｘ軸方向）に沿う前記カウンターウェイトブロック２１の両側に固定される。
【００３１】
前記第二緩衝ブロック７が前記第二方向（Ｙ軸方向）に沿う前記カウンターウェイトブロック２１の両側に固定される。
【００３２】
前記第一緩衝ブロック６及び前記第二緩衝ブロック７はそれぞれ前記振動ユニット２がＸ軸方向及びＹ軸方向に振動する時にベース１と衝突して騒音を発生させることを防止することに用いられ、振動性能を向上させる。
【００３３】
従来技術に比べて、本発明のリニア振動モータにおいて、前記振動ユニットにおける第二方向の振動を実現する前記第二永久磁石を２つ設置して、それらがそれぞれ第一方向の振動を実現する前記第一永久磁石の対向する両側に位置し、それにより前記振動ユニットの構造を対称にして質量分布を均一にし、更にリニア振動モータの振動安定性を向上させる。
【００３４】
以上の説明は本発明の実施例であって、本発明の特許範囲を制限するためのものではなく、本発明の明細書及び図面の内容に基づき行った等価構造又は等価プロセス変換、又は他の関連する技術分野における直接又は間接応用は、すべて同様に本発明の特許保護範囲内に含まれる。
【図１】
2019097374.tif 000003
【図２】
2019097374.tif 000004